(57)【要約】【課題】誤入力を抑制することができる携帯電子機器を提供すること。【解決手段】携帯電話機１の制御部１８は、表示部１１に近接する物体の表示部１１の表示面に対する距離と、この距離に対応する表示部１１における位置とを検出し、表示部１１に、キーが表示される複数の画像から構成されるキーボードを表示させ、接触検出部１２により当該画像への物体の接触が検出されたことに応じて、当該画像に対応するキーの入力を受け付ける。この制御部１８は、検出された表示部１１における位置から所定範囲に表示されている画像を拡大して表示部１１に表示させる。【選択図】図２
2012094008.tif 000002
【特許請求の範囲】
【請求項１】
表示部と、
前記表示部への物体の接触を検出する接触検出部と、
前記表示部に近接する物体の前記表示部の表示面に対する近接を検出する近接検出部と、
前記近接検出部により前記物体の前記表示面に対する近接を検出した場合、前記物体に対向する前記表示面の所定範囲に表示されている画像を拡大して前記表示部に表示させる制御部と、を備える携帯電子機器。
【請求項２】
前記近接検出部は、前記表示部に近接する物体の前記表示部の表示面に対する距離と、前記距離に対応する前記表示部における位置とを検出し、
前記制御部は、前記表示部に、キーが表示される複数の画像から構成されるキーボードを表示させ、前記接触検出部により当該画像への物体の接触が検出されたことに応じて、当該画像に対応するキーの入力を受け付け、前記近接検出部により検出された前記表示部における位置から所定範囲に表示されている前記画像を拡大して前記表示部に表示させる請求項１に記載の携帯電子機器。
【請求項３】
前記制御部は、前記近接検出部により検出された前記距離が第１の距離より短い場合に、前記所定範囲に表示されている前記画像を拡大して前記表示部に表示させる請求項２に記載の携帯電子機器。
【請求項４】
前記制御部は、前記所定範囲に表示されている前記画像を拡大し、かつ、半透過にして前記表示部に表示させる請求項１から３のいずれか１項に記載の携帯電子機器。
【請求項５】
前記制御部は、前記近接検出部により検出された前記距離が前記第１の距離に比べて短い第２の距離より短い場合に、拡大されて前記表示部に表示されている前記画像を、前記位置に応じて変更させずに表示させる請求項３に記載の携帯電子機器。
【請求項６】
前記制御部は、前記近接検出部により検出された前記距離が前記第２の距離より短い場合に、拡大されて前記表示部に表示されている前記画像を強調させ、かつ、固定表示させる請求項５に記載の携帯電子機器。
【請求項７】
前記制御部は、
前記近接検出部により検出された前記距離が前記第２の距離に比べて短い第３の距離より短い場合に、前記近接検出部により検出された前記表示部における位置に対応する前記画像の表示態様を変更し、
前記接触検出部により前記表示部への物体の接触が検出されたことに応じて、前記表示態様が変更された前記画像に対応するキーの入力を受け付ける請求項５又は６に記載の携帯電子機器。
【発明の詳細な説明】
【技術分野】
【０００１】
本発明は、表示部への物体の接触を検出する携帯電子機器に関する。
【背景技術】
【０００２】
近年、ペンや指による接触を検出することによって各種の操作や文字の入力を行うことが可能なタッチパネルを有する携帯電子機器が増加している。このような携帯電子機器では、ＬＣＤ（Ｌｉｐｕｉｄ  Ｃｒｙｓｔａｌ  Ｄｉｓｐｌａｙ）等の表示部と、この表示部への接触を検知する検出部を有するタッチパネルを備える。そして、携帯端末は、表示部に文字やボタンといった各種キーを表示させて、検出部により、各種キーが表示されている箇所（タッチ操作領域）が指やペンで接触されたことを検出することで、各種キーの入力を受け付けている。
【０００３】
しかしながら、このような携帯電子機器では、表示部の大きさが、可搬性を有さないディスプレイ等に比べて小さく、表示されるボタンやキーが小さいものとなりがちである。このように、ボタンやキーが小さい場合、各種キーを、タッチパネルを介して正確に入力することは困難であり、誤入力が発生するおそれがある。そこで、このような課題を解決するために、例えば、特許文献１では、過去の入力頻度が高い文字について、この文字に対応するタッチ操作領域の大きさを拡大させる方法が提案されている。
【先行技術文献】
【特許文献】
【０００４】
【特許文献１】特開２００７−２８０１５３号公報
【発明の概要】
【発明が解決しようとする課題】
【０００５】
しかしながら、特許文献１に記載の方法では、入力頻度が高い文字を入力することは容易になるものの、入力頻度が低い文字を入力する場合には、タッチ操作領域の大きさが拡大されない。よって、特許文献１に記載の方法では、入力頻度が低い文字を入力する場合に誤入力が発生するおそれがある。そこで、誤入力を抑制することができる携帯電子機器が望まれている。
【０００６】
本発明は、誤入力を抑制することができる携帯電子機器を提供することを目的とする。
【課題を解決するための手段】
【０００７】
本発明に係る携帯電子機器は、表示部と、前記表示部への物体の接触を検出する接触検出部と、前記表示部に近接する物体の前記表示部の表示面に対する近接を検出する近接検出部と、前記近接検出部により前記物体の前記表示面に対する近接を検出した場合、前記物体に対向する前記表示面の所定範囲に表示されている画像を拡大して前記表示部に表示させる制御部と、を備える。
【０００８】
また、上記携帯電子機器では、前記近接検出部は、前記表示部に近接する物体の前記表示部の表示面に対する距離と、前記距離に対応する前記表示部における位置とを検出し、前記制御部は、前記表示部に、キーが表示される複数の画像から構成されるキーボードを表示させ、前記接触検出部により当該画像への物体の接触が検出されたことに応じて、当該画像に対応するキーの入力を受け付け、前記近接検出部により検出された前記表示部における位置から所定範囲に表示されている前記画像を拡大して前記表示部に表示させることが好ましい。
【０００９】
また、上記携帯電子機器では、前記制御部は、前記近接検出部により検出された前記距離が第１の距離より短い場合に、前記所定範囲に表示されている前記画像を拡大して前記表示部に表示させることが好ましい。
【００１０】
また、上記携帯電子機器では、前記制御部は、前記所定範囲に表示されている前記画像を拡大し、かつ、半透過にして前記表示部に表示させることが好ましい。
【００１１】
また、上記携帯電子機器では、前記制御部は、前記近接検出部により検出された前記距離が前記第１の距離に比べて短い第２の距離より短い場合に、拡大されて前記表示部に表示されている前記画像を、前記位置に応じて変更させずに表示させることが好ましい。
【００１２】
また、上記携帯電子機器では、前記制御部は、前記近接検出部により検出された前記距離が前記第２の距離より短い場合に、拡大されて前記表示部に表示されている前記画像を強調させ、かつ、固定表示させることが好ましい。
【００１３】
また、上記携帯電子機器では、前記制御部は、前記近接検出部により検出された前記距離が前記第２の距離に比べて短い第３の距離より短い場合に、前記近接検出部により検出された前記表示部における位置に対応する前記画像の表示態様を変更し、前記接触検出部により前記表示部への物体の接触が検出されたことに応じて、前記表示態様が変更された前記画像に対応するキーの入力を受け付けることが好ましい。
【発明の効果】
【００１４】
本発明によれば、誤入力を抑制することができる。
【図面の簡単な説明】
【００１５】
【図１】携帯電子機器の一実施形態に係る携帯電話機の外観斜視図である。
【図２】携帯電話機の機能構成を示すブロック図である。
【図３】携帯電話機の表示部に物体を接近させた例を示す図である。
【図４】仮想キーボードが表示部に表示される例を示す図である。
【図５】仮想キーボードの一部が拡大されて表示部に表示される例を示す図である。
【図６】仮想キーボードの一部が拡大し、かつ、半透過にされて表示部に表示される例を示す図である。
【図７】拡大されたキーが強調されて表示部に表示される例を示す図である。
【図８】拡大されたキーのうち、１のキーの表示態様が変更されて表示部に表示される例を示す図である。
【図９】携帯電話機の制御部の処理の流れを示すフローチャートである。
【発明を実施するための形態】
【００１６】
以下、本発明の実施の形態について説明する。まず、本発明の携帯電子機器の一実施形態に係る携帯電話機１の基本構造について、図１を参照しながら説明する。図１は、本実施形態に係る携帯電話機１の外観斜視図である。
【００１７】
携帯電話機１は、筺体２を備える。筺体２には、正面部に、タッチパネル１０と、マイク１３と、スピーカ１４とが配置され、内部に、タッチパネル１０の四隅に対応して、複数の近接センサ１５Ａ、１５Ｂ、１５Ｃ及び１５Ｄ（以下、近接センサ１５Ａ、１５Ｂ、１５Ｃ及び１５Ｄをまとめて近接センサ１５ともいう）が配置される。
【００１８】
タッチパネル１０は、表示部１１と、接触検出部１２とを備える（図２参照）。表示部１１は、液晶表示パネル又は有機ＥＬ（エレクトロルミネッセンス）表示パネル等である。接触検出部１２は、表示部１１に対する携帯電話機１のユーザの指やタッチペン等の物体の接触を検出するセンサである。接触検出部１２には、例えば、静電容量方式や抵抗膜方式等のセンサが利用可能である。
【００１９】
マイク１３は、携帯電話機１のユーザが通話時に発した音声を入力するために用いられる。
スピーカ１４は、携帯電話機１のユーザの通話相手が発した音声を出力するために用いられる。
【００２０】
近接センサ１５は、表示部１１に近接する物体との距離を検出する。検出した距離は、後述の制御部１８に入力される。近接センサ１５には、例えば、誘導方式、静電容量方式、超音波方式、電磁波方式、赤外線方式のセンサが利用可能である。
【００２１】
続いて、図２を参照しながら、携帯電話機１の機能構成について説明する。図２は、携帯電話機１の機能構成を示すブロック図である。
【００２２】
携帯電話機１は、上述した、タッチパネル１０（表示部１１及び接触検出部１２）と、マイク１３と、スピーカ１４と、近接センサ１５と、を備える。また、携帯電話機１は、通信部１６と、記憶部１７と、近接検出部及び制御部としての制御部１８とを備える。
【００２３】
通信部１６は、メインアンテナ（図示省略）とＲＦ回路部（図示省略）とを備え、所定の連絡先と通信を行う。通信部１６が発信する連絡先は、携帯電話機１と電話やメールの送受信を行う外部装置や、携帯電話機１がインターネットの接続を行う外部のｗｅｂサーバ等の外部装置等である。
【００２４】
通信部１６は、所定の使用周波数帯で外部装置と通信を行う。具体的には、通信部１６は、上記のメインアンテナによって受信した信号を復調処理し、処理後の信号を制御部１８に供給する。また、通信部１６は、制御部１８から供給された信号を変調処理し、上記のメインアンテナを介して外部装置（基地局）に送信する。
【００２５】
記憶部１７は、例えば、ワーキングメモリを含み、制御部１８による演算処理に利用される。また、記憶部１７は、携帯電話機１の内部で動作するアプリケーションを１又は複数記憶する。なお、記憶部１７は、着脱可能な外部メモリを兼ねていてもよい。
【００２６】
制御部１８は、携帯電話機１の全体を制御しており、表示部１１や通信部１６に対して制御を行う。本実施形態では、制御部１８は、接触検出部１２を介して、メール機能やメモ帳機能において文字列入力の操作が受け付けられると、キーが表示される複数の領域に対応する画像から構成される仮想キーボードを表示部１１に表示させる。そして、制御部１８は、近接センサ１５から入力された距離に基づいて、仮想キーボードの表示態様を変化させる制御を行う。以下に、携帯電話機１に係る上記機能を発揮するための構成と動作について詳述する。
【００２７】
制御部１８は、文字列入力の操作が受け付けられたことに応じて、表示部１１に、仮想キーボードを、キーボード全体が表示されるように表示させる。また、制御部１８は、接触検出部１２により、表示部１１に表示されている仮想キーボードを構成する複数の領域に対応する画像のいずれかへの物体の接触が検出されたことに応じて、当該画像に対応するキーの入力を受け付ける。
【００２８】
図３は、仮想キーボードが表示部１１に表示される例を示す図である。図３では、表示部１１の一部にＱＷＥＲＴＹ配列の仮想キーボードが表示されていることが確認できる。すなわち、図３では、仮想キーボードが複数の領域に対応する画像により形成されており、これら複数の画像に対してキーが表示されていることが確認できる。例えば「Ｑ」が示されている領域に対応する画像が、指やペンにより接触されると、制御部１８は、「Ｑ」の入力を受け付ける。
【００２９】
制御部１８は、近接センサ１５により、ユーザの指やタッチペン等の物体の表示部１１の表示面に対する近接を検出した場合、この物体に対向する表示部１１の表示面の所定範囲に表示されている画像を拡大して、表示部１１に表示させる。
【００３０】
具体的には、制御部１８は、表示部１１に仮想キーボードが表示されている状態において、複数の近接センサ１５Ａ、１５Ｂ、１５Ｃ、１５Ｄから入力された、物体との距離に基づいて、表示部１１に近接する物体の表示部１１の表示面に対する距離と、この距離に対応する表示部１１上の位置とを検出する。
【００３１】
図３は、携帯電話機１の表示部１１に物体としてタッチペンを接近させた例を示す図である。図３に示されるように、制御部１８により検出される、表示部１１に近接する物体の表示部１１の表示面に対する距離を距離Ｄといい、この距離Ｄに対応する表示部１１上の位置を位置Ｐという。
【００３２】
続いて、制御部１８は、検出された表示部１１における位置Ｐから所定範囲に表示されている領域に対応する画像と、この画像に対応するキーを拡大して表示部１１に表示させる。ここで、所定範囲とは、例えば、位置Ｐを含む領域に隣り合う領域である。
【００３３】
図４は、仮想キーボードの一部が拡大されて表示部１１に表示される例を示す図である。図４に示す例では、位置Ｐが、「Ｋ」を示している領域の画像に対応する位置であり、「Ｋ」に対応する領域の画像と、位置Ｐを含む領域に隣り合う領域の画像に対応するキーである「Ｉ」、「Ｏ」、「Ｊ」、「Ｌ」、「Ｍ」に対応する領域の画像とが拡大して表示されていることが確認できる。
【００３４】
このようにすることで、携帯電話機１は、ユーザの指やタッチペン等の物体を表示部１１の表示面に近づけた場合に、この物体に対向する表示部１１の表示面の所定範囲に表示されている画像を拡大して、表示部１１に表示させる。よって、携帯電話機１では、所定範囲の領域に対する操作性が増し、誤入力を抑制することができる。
【００３５】
また、携帯電話機１は、ユーザが入力しようとしているキーにユーザの指やタッチペン等の物体を近づけた場合に、この物体に近い位置の領域から所定範囲に表示されている領域の画像を拡大して表示させるので、画像に対応するキーの視認性が増すとともに、当該キーに対応する接触検出画像を増やすことができるので、誤入力を抑制することができる。
【００３６】
続いて、制御部１８の、距離Ｄに対応する処理について説明する。
制御部１８は、距離Ｄが第１の距離ｄ１より大きい場合に、図４に示されるように、仮想キーボードを、キーボード全体が表示されるように表示させる。
【００３７】
また、制御部１８は、距離Ｄが第１の距離ｄ１より短い場合に、図５に示されるように、所定範囲に表示されている領域に対応する画像を拡大して表示部１１に表示させる。
このようにすることで、携帯電話機１は、表示部１１とユーザの指やタッチペン等の物体との距離が第１の距離ｄ１より短い場合に領域に対応する画像を拡大するので、ユーザが指やペン等を表示部１１に近づけた場合にのみ、拡大させる領域をユーザに自由に選択させることができる。
【００３８】
なお、制御部１８は、距離Ｄが第１の距離ｄ１より短い場合に、所定範囲に表示されている領域に対応する画像を拡大し、かつ、半透過にして表示部１１に表示させるようにしてもよい。
【００３９】
図６は、仮想キーボードの一部が拡大し、かつ、半透過にされて表示部１１に表示される例を示す図である。図６に示す例では、拡大表示されているキー「Ｋ」、「Ｉ」、「Ｏ」、「Ｊ」、「Ｌ」及び「Ｍ」が半透過になり、キーボード全体が表示されていることが確認できる。このようにすることで、携帯電話機１は、一部の領域に対応する画像が拡大表示されている場合でも、キーボード全体を表示させて、新たに拡大させたい領域が表示されないことを防止することができる。
【００４０】
また、制御部１８は、距離Ｄが第１の距離ｄ１に比べて短い第２の距離ｄ２より短い場合に、拡大されて表示部１１に表示されている領域に対応する画像を、位置Ｐに応じて変更させずに表示（固定表示）させる。ここで、固定表示とは、拡大されて表示されている画像を確定させることをいい、位置Ｐが変更されたとしても、既に拡大表示されている画像の範囲を変更しないことをいう。
このようにすることで、第２の距離ｄ２より短い場合に、ユーザの手ぶれ等により、拡大されている画像が頻繁に変更されることを防止することができる。
【００４１】
なお、制御部１８は、距離Ｄが第２の距離ｄ２より短い場合に、拡大され、かつ、固定表示されている画像を、固定表示しない場合の表示態様と異なるように表示制御してもよい。具体的には、制御部１８は、距離Ｄが第２の距離ｄ２より短い場合に、拡大され、かつ、固定表示されているキーを強調させて表示部１１に表示させるようにしてよい。
【００４２】
図７は、拡大されたキーが強調されて表示部１１に表示される例を示す図である。図７に示す例では、拡大表示されているキー「Ｋ」、「Ｉ」、「Ｏ」、「Ｊ」、「Ｌ」及び「Ｍ」の領域の画像が、図５において拡大表示されている画像に比べて強調表示されていることが確認できる。このようにすることで、携帯電話機１は、固定表示されていない場合と、固定表示されている場合との表示を変化させて、拡大されている画像が固定表示されていることをユーザに容易に認識させることができる。
【００４３】
また、制御部１８は、距離Ｄが第２の距離ｄ２に比べて短い第３の距離ｄ３より短い場合に、距離Ｄに対応する位置Ｐに対応する領域の画像の表示態様を変更する。そして、制御部１８は、接触検出部１２により表示部１１への物体の接触が検出されたことに応じて、表示態様が変更された画像に対応するキーの入力を受け付ける。
【００４４】
図８は、拡大されたキーのうち、１のキーの表示態様が変更されて表示部１１に表示される例を示す図である。図８に示す例では、位置Ｐが、「Ｋ」を示している領域に対応する画像であり、距離Ｄが第３の距離ｄ３より短い状態であることとする。この場合、図８において、制御部１８により、「Ｋ」に対応する領域の画像の表示態様が他の領域の画像の表示態様から変更されていることが確認できる。このようにすることで、携帯電話機１は、表示態様が変更された画像が最もユーザの指やペン等に近い領域の画像であり、この画像対応するキーの入力を入力可能であることをユーザに容易に認識させることができる。
【００４５】
続いて、制御部１８の処理の流れについて説明する。
図９は、携帯電話機１の制御部１８の処理の流れを示すフローチャートである。
【００４６】
ステップＳ１において、制御部１８は、接触検出部１２を介して、メール機能やメモ帳機能において文字列の入力開始操作が受け付けられたか否かを判定する。制御部１８は、この判定がＹＥＳの場合、処理をステップＳ２に移し、この判定がＮＯの場合、ステップＳ１の処理を再実行する。
ステップＳ２において、制御部１８は、仮想キーボードを表示部１１に表示させる。
【００４７】
ステップＳ３において、制御部１８は、検出された距離Ｄが第１の距離ｄ１より長いか否かを判定する。制御部１８は、この判定がＹＥＳの場合、処理をステップＳ４に移し、この判定がＮＯの場合、処理をステップＳ５に移す。
【００４８】
ステップＳ４において、制御部１８は、画像を拡大させずに仮想キーボードを表示部１１に表示させる。続いて、制御部１８は、処理をステップＳ１２に移す。
【００４９】
ステップＳ５において、制御部１８は、検出された距離Ｄが第２の距離ｄ２より長く、かつ、第１の距離ｄ１以下であるか否かを判定する。制御部１８は、この判定がＹＥＳの場合、処理をステップＳ６に移し、この判定がＮＯの場合、処理をステップＳ７に移す。
【００５０】
ステップＳ６において、制御部１８は、検出された位置Ｐから所定の範囲の領域の画像を拡大して表示部１１に表示させる。続いて、制御部１８は、処理をステップＳ１２に移す。
【００５１】
ステップＳ７において、制御部１８は、検出された距離Ｄが第３の距離ｄ３より長く、かつ、第２の距離ｄ２以下であるか否かを判定する。制御部１８は、この判定がＹＥＳの場合、処理をステップＳ８に移し、この判定がＮＯの場合、処理をステップＳ９に移す。
【００５２】
ステップＳ８において、制御部１８は、拡大されている領域の画像を固定して表示部１１に表示させる。続いて、制御部１８は、処理をステップＳ１２に移す。
【００５３】
ステップＳ９において、制御部１８は、検出された距離Ｄが０より長く、かつ、第３の距離ｄ３以下であるか否かを判定する。制御部１８は、この判定がＹＥＳの場合、処理をステップＳ１０に移し、この判定がＮＯの場合、処理をステップＳ１１に移す。
【００５４】
ステップＳ１０において、制御部１８は、検出された位置Ｐに対応する領域の画像の表示態様を変更させる。ここでは、制御部１８は、検出された位置Ｐに対応する領域の画像の色を他の領域の画像と異なるように表示させる。続いて、制御部１８は、処理をステップＳ１２に移す。
【００５５】
ステップＳ１１では、距離Ｄが０、すなわち、接触検出部１２により接触が検出されていることとなる。すなわち、ステップＳ１１において、制御部１８は、接触された位置（位置Ｐ）に対応する画像に対応するキーの入力を受け付ける。続いて、制御部１８は、処理をステップＳ１２に移す。
【００５６】
ステップＳ１２において制御部１８は、接触検出部１２により、入力終了操作が受け付けられたか否かを判定する。制御部１８は、この判定がＹＥＳの場合、本フローチャートに係る処理を終了し、この判定がＮＯの場合、ステップＳ３に移る。
【００５７】
以上、本実施形態によれば、携帯電話機１は、ユーザの指やタッチペン等の物体を表示部１１の表示面に近づけた場合に、この物体に対向する表示部１１の表示面の所定範囲に表示されている画像を拡大して、表示部１１に表示させる。よって、携帯電話機１では、所定範囲の領域に対する操作性が増し、誤入力を抑制することができる。また、携帯電話機１は、ユーザが入力しようとしているキーに対応する画像にユーザの指やタッチペン等の物体を近づけた場合に、この物体に近い位置の画像から所定範囲に表示されている画像を拡大して表示させる。よって、携帯電話機１は、キーの視認性が増すとともに、当該キーに対応する検出画像を増やすことができるので、キーの誤入力を抑制することができる。
【００５８】
以上、好適な実施形態について説明したが、本発明は前述した実施形態に限定されることなく種々の形態で実施することができる。また、前述の実施形態に記載された効果は、本発明から生じる最も好適な効果を列挙したに過ぎず、本発明による効果は、前述のものに限定されない。
【００５９】
例えば、本実施形態では、本発明についてＱＷＥＲＴＹ配列の仮想キーボードを用いて説明したが、ＱＷＥＲＴＹ配列の仮想キーボードに限らず、数字キーの仮想キーボード等、他のキー配列の仮想キーボードに対して、本発明を適用してもよい。
【００６０】
また、本実施形態では、表示部１１に対してユーザの指やタッチペン等の物体が１つのみ近接した場合について説明したがこれに限らず、複数の物体が表示部１１に近接した場合に、それぞれの物体と表示部１１の表示面との距離に対応する表示部１１の位置から所定範囲の画像を拡大して表示させてもよい。
【００６１】
また、本実施形態では、携帯電子機器としての携帯電話機１について説明したが、これに限定されず、ＰＨＳ（登録商標：Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、パソコン、ノートパソコン、携帯ゲーム装置等の、タッチパネルを備える携帯電子機器であってもよい。
【符号の説明】
【００６２】
１  携帯電話機
１０  タッチパネル
１１  表示部
１２  検出部
１５  近接センサ
１８  制御部
【図１】
2012094008.tif 000003
【図２】
2012094008.tif 000004
【図３】
2012094008.tif 000005
【図４】
2012094008.tif 000006
【図５】
2012094008.tif 000007
【図６】
2012094008.tif 000008
【図７】
2012094008.tif 000009
【図８】
2012094008.tif 000010
【図９】
2012094008.tif 000011